(57)【要約】    【課題】  本発明は、エンジンの過給装置において、エンジンの運転状態が予回転領域にあるときに、吸気温度の上昇を抑制し、ノッキングの発生を防止する。    【解決手段】  吸気通路に設けられた電動過給機と、吸気通路における該電動過給機の上、下流側を連通させるバイパス通路と、バイパス通路を開閉するバイパス弁と、エンジンの運転状態が過給領域にあるときに所定の過給圧が得られるように電動過給機の回転数及びバイパス弁を制御する吸気システムコントローラとが備えられたエンジンの過給装置であって、エンジンの運転状態が予回転領域にあると判定したときに、吸気システムコントローラは、運転状態が過給領域にある場合より低い過給圧となるように電動過給機の回転数及びバイパス弁を制御すると共に、特定気筒に対する燃料供給を停止させる減筒運転を行い、燃料供給が停止された気筒から排出された新気を電動過給機上流の吸気通路に還流させる。【選択図】    図５
2006214273.tif 000002
【特許請求の範囲】
【請求項１】
吸気通路に設けられた電動過給機と、吸気通路における該電動過給機の上、下流側を連通させるバイパス通路と、該バイパス通路を開閉するバイパス弁と、エンジンの運転状態が過給領域にあるときに所定の過給圧が得られるように電動過給機の回転数及びバイパス弁を制御する過給制御手段とが備えられたエンジンの過給装置であって、
エンジンの運転状態が前記過給領域の低負荷側に設定された予回転領域にあるか否かを判定する判定手段と、
該判定手段によりエンジンの運転状態が予回転領域にあると判定されたときに、運転状態が過給領域にある場合より低い過給圧となるように電動過給機の回転数及びバイパス弁を制御する予回転制御手段と、
該予回転制御手段による予回転制御中、特定気筒に対する燃料供給を停止させる減筒運転手段と、
該減筒運転手段による減筒運転中、燃料供給が停止された気筒から排出された新気を電動過給機上流の吸気通路に還流させる還流手段とを有することを特徴とするエンジンの過給装置。
【請求項２】
請求項１に記載のエンジンの過給装置において、
前記減筒運転手段による減筒運転時は、スロットル開度を増大補正するスロットル開度補正手段を有することを特徴とするエンジンの過給装置。
【請求項３】
請求項１に記載のエンジンの過給装置において、
電動過給機下流の吸気温度を検出する吸気温度検出手段を有し、
該吸気温度検出手段により検出された吸気温度が所定値以上のときのみ前記減筒運転手段及び還流手段を作動させることを特徴とするエンジンの過給装置。
【発明の詳細な説明】
【技術分野】
【０００１】
本発明は、過給によりエンジントルクの増大を図るエンジンの過給装置の技術分野に属する。
【背景技術】
【０００２】
従来より、エンジントルクの増大を図る手段として吸気を過給するスーパーチャージャやターボチャージャが周知であるが、いずれも過給能力がエンジン回転数の影響を大きく受ける結果、低回転領域で過給圧が不足するという欠点がある。これに対し、電気的に駆動される電動過給機は、エンジン回転数の影響を受けることなく回転数を制御できるので、低回転領域でも十分な過給圧を発生し得る利点がある。
【０００３】
例えば特許文献１に記載のエンジンの過給装置は、吸気通路上に配置された電動過給機と、該過給機の上、下流側を連通するバイパス通路と、該バイパス通路上に設けられたバイパス弁とを有し、エンジンの運転状態が過給領域にあるときに、過給機を作動させると共にバイパス弁を閉じることにより、過給を行うようになっている。そして、このような構成のエンジンの過給装置において、急加速時等の応答性をさらに高める方法として予回転制御が提案されている。
【０００４】
この予回転制御としては、例えば、エンジンの運転状態が過給領域に移行する前に予めバイパス弁を開いた状態で電動過給機を作動させておき、予め電動過給機の回転数を高めておくことにより、過給領域に移行した際に速やかに所要の過給圧が得られるようにする回転制御がある。また、エンジンの運転状態が過給領域に移行する前にバイパス弁を閉じ気味にした状態で電動過給機を作動させて、予め電動過給機下流の圧力を高めておくことにより、過給領域に移行した際に速やかに所要の過給圧が得られるようにする予圧制御がある。
【特許文献１】特開２００３−２２７３４２号公報
【発明の開示】
【発明が解決しようとする課題】
【０００５】
ところで、上記予回転制御中に吸気温度が上昇し、高温の吸気が燃焼室に導入されてノッキングが発生し易くなるという問題がある。この予回転制御中に吸気温度を上昇させる原因は、例えば以下のようなものがある。
【０００６】
即ち、回転制御時においては、バイパス弁が開いた状態で電動過給機を作動させるので、バイパス通路を介して吸気が循環することになるが、この循環により吸気が電動過給機の作動による発熱を繰り返し受けて次第に昇温することになる。
【０００７】
また、予圧制御時においては、閉じ気味に設定されたバイパス弁前後の圧力差が吸気温度の上昇の原因となる。つまり、この圧力差によって、電動過給機下流の高い吸気の位置エネルギが、バイパス弁の隙間を通って過給機上流に流れる際に流速としての運動エネルギに変換されると共に、この運動エネルギが過給機上流で例えば新気との衝突によって流速を失うときに熱エネルギに変換され、この熱エネルギが吸気温度を上昇させることになる。
【０００８】
そこで、本発明は、エンジンの過給装置において、エンジンの運転状態が予回転領域にあるときに、吸気温度の上昇を抑制し、ノッキングの発生を防止することを課題とする。
【課題を解決するための手段】
【０００９】
前記課題を解決するため、本発明は次のように構成したことを特徴とする。
【００１０】
まず、本願の請求項１に記載の発明は、吸気通路に設けられた電動過給機と、吸気通路における該電動過給機の上、下流側を連通させるバイパス通路と、該バイパス通路を開閉するバイパス弁と、エンジンの運転状態が過給領域にあるときに所定の過給圧が得られるように電動過給機の回転数及びバイパス弁を制御する過給制御手段とが備えられたエンジンの過給装置であって、エンジンの運転状態が前記過給領域の低負荷側に設定された予回転領域にあるか否かを判定する判定手段と、該判定手段によりエンジンの運転状態が予回転領域にあると判定されたときに、運転状態が過給領域にある場合より低い過給圧となるように電動過給機の回転数及びバイパス弁を制御する予回転制御手段と、該予回転制御手段による予回転制御中、特定気筒に対する燃料供給を停止させる減筒運転手段と、該減筒運転手段による減筒運転中、燃料供給が停止された気筒から排出された新気を電動過給機上流の吸気通路に還流させる還流手段とを有することを特徴とする。
【００１１】
なお、予回転制御のうち、予圧制御では、過給領域における過給圧よりも低い過給圧が得られるように電動過給機の回転数及びバイパス弁が制御されることになり、回転制御では、予圧は行われないが、電動過給機の直下流の過給圧が過給領域における過給圧よりも低くなるように電動過給機の回転数が制御される。
【００１２】
また、請求項２に記載の発明は、前記請求項１に記載のエンジンの過給装置において、前記減筒運転手段による減筒運転時は、スロットル開度を増大補正するスロットル開度補正手段を有することを特徴とする。
【００１３】
そして、請求項３に記載の発明は、前記請求項１に記載のエンジンの過給装置において、電動過給機下流の吸気温度を検出する吸気温度検出手段を有し、該吸気温度検出手段により検出された吸気温度が所定値以上のときのみ前記減筒運転手段及び還流手段を作動させることを特徴とする。
【発明の効果】
【００１４】
まず、請求項１に記載の発明によれば、予回転制御中に、特定気筒への燃料供給が停止されるので、該特定気筒からは、新気が排出されることになる。そして、この新気が電動過給機上流の吸気通路に還流される。
【００１５】
その場合に、前記特定気筒に吸入された空気は、圧縮工程で昇温した際に、燃焼室回りの冷却水に熱が吸収されると共に、その後の膨張行程でさらに温度が低下するので、吸入したときの温度（大気温度）よりも低くなる。そして、この低温の空気が電動過給機上流の吸気通路に還流されるので、予回転制御中に、吸気系全体として吸気温度が低下され、或いは上昇が抑制されることになり、これによりノッキングの発生が防止される。
【００１６】
また、請求項２に記載の発明によれば、減筒運転時は、スロットル開度を増大させるので、各気筒への導入空気量が増大し、燃焼気筒の出力が増大する。その結果、減筒したにも拘らず、エンジン全体としての出力の低下が回避される。
【００１７】
なお、このとき、スロットル開度を増大させたことによって、ポンピングロスが低減して燃費が改善される。例えば、排気量２リッターのガソリンエンジンで、予回転を２５００回転以下で行い、かつ電動過給機の定格電力を２ｋＷ、オルタネータの定格電力を２ｋＷとした場合の予回転制御中、電動過給機による消費電力をオルタネータの発電により回収するために８％前後の燃費の低下を免れないが、これが前記ポンピングロスの低減による７〜１１％の燃費改善効果により相殺され、予回転制御を行うことによる燃費の悪化が防止されることになる。
【００１８】
そして、請求項３に記載の発明によれば、吸気温度が所定値未満のときは、ノッキングが起こりにくい状態であるから、減筒運転が行われずにエンジン出力の低下が回避されると共に、吸気温度が所定値以上のときは、ノッキングが起こりやすい状態であるから、前記減筒運転が行われて吸気温度の上昇が抑制され、ノッキングの発生が防止される。
【発明を実施するための最良の形態】
【００１９】
以下、本発明の実施の形態について説明する。
【００２０】
まず、本発明の第１の実施の形態について説明すると、図１は、本実施の形態に係るエンジンの吸気系１及び排気系２を表している。
【００２１】
吸気系１において、吸気通路１０には、上流側からエアクリーナ１１、電動過給機１２、スロットルバルブ１３、サージタンク１４が設けられ、該サージタンク１４から各気筒＃１〜＃４内にそれぞれ通じる複数の独立吸気通路１５…１５が分岐されている。
【００２２】
また、該吸気通路１０における電動過給機１２の上、下流側を直接連通させるバイパス通路１６が設けられており、該バイパス通路１６に、該通路１６を通過する空気の流量を制御するバイパス弁１７が設けられている。
【００２３】
そして、前記電動過給機１２は、コンプレッサ１２ａとモータ１２ｂとを備え、モータ１２ｂの駆動によりコンプレッサ１２ａが空気を吸入して各気筒＃１〜＃４に圧送することにより、空気充填量ないしエンジントルクを増大させる。
【００２４】
一方、上記排気系２は、各気筒＃１〜＃４からそれぞれ延びる複数の独立排気通路２１ａ…２１ｄと、第１、第４気筒＃１，＃４から延びる独立排気通路２１ａ，２１ｄを下流側で合流してなる第１合流排気通路２２ａと、第２、第３気筒＃２，＃３から延びる独立排気通路２１ｂ，２１ｃ下流側で合流してなる第２合流排気通路２２ｂと、第１、第２合流通路２２ａ，２２ｂを下流側で合流してなる集合排気通路２３とを有している。
【００２５】
そして、前記第１合流排気通路２２ａから分岐して電動過給機１２の上流側の排気通路１０に連通する連通路３０が設けられ、該連通路３０上には、該通路３０内を通る空気の流量を制御する循環バルブ３１が配設されている。
【００２６】
また、このエンジンを制御するエンジン制御装置１００は、運転者によるアクセルペダル４０ａの踏込量（エンジン負荷）を検出するアクセル開度センサ４０からの信号、エンジン回転数を検出するエンジン回転数センサ４１からの信号、吸気温度を検出する吸気温度センサ４２からの信号等が入力されるようになっている。
【００２７】
そして、エンジン制御装置１００は、それらの入力信号に基いて、各気筒＃１〜＃４に備えられた点火プラグ４３…４３、燃料噴射弁４４ａ…４４ｄ、及び吸気システムコントローラ１０１などに各種の制御信号を出力する。該吸気システムコントローラ１０１は、スロットルバルブ１３を開閉駆動するスロットルアクチュエータ４５、バイパス弁１７を開閉駆動するバイパスアクチュエータ４６、循環バルブ３１、及び電動過給機１２のモータ１２ｂの回転数を制御する電動過給機コントローラ１０２などに制御信号を出力する。
【００２８】
また、このエンジンには、該エンジンの駆動により発電を行うオルタネータ５０と、該オルタネータ５０で発電された電力を蓄えるバッテリ５１とが備えられ、該バッテリ５１から前記電動過給機コントローラ１０２に電力が供給されるようになっている。
【００２９】
なお、前記吸気通路１０、電動過給機１２、バイパス通路１６、及びバイパス弁１７は、請求項１に記載の過給装置の前提となる構成要素に相当する。また、前記エンジン制御装置１００は請求項１に記載の過給装置における判定手段及び減筒運転手段に相当し、吸気システムコントローラ１０１は請求項１に記載の過給装置における過給制御装置及び予回転制御手段に相当し、前記連通路３０、循環バルブ３１、吸気システムコントローラ１０１は請求項１に記載の過給装置における還流手段に相当する。また、前記吸気システムコントローラ１０１は請求項２に記載の過給装置におけるスロットル開度補正手段に相当し、前記吸気温度センサ４２は請求項３に記載の過給装置における吸気温度検出手段に相当する。
【００３０】
一方、前記エンジン制御装置１００には、図２に示すエンジンの運転領域を設定したマップが記憶されている。このマップには、エンジン回転数とエンジン負荷とをパラメータとした４つの領域が設定されている。即ち、全エンジン運転領域の高回転側（エンジン回転数がＮ１以上）には自然吸気領域、低負荷低回転側（エンジン回転数がＮ１以下、エンジン負荷がα１以下）には予回転領域（予圧領域）、高負荷低回転側（エンジン回転数がＮ１以下、エンジン負荷がα１以上）には過給領域が設定されていると共に、該過給領域内の低回転側にはサージング領域が設定されている。
【００３１】
前記自然吸気領域では、バイパス弁１７が開いた状態で電動過給機１２を作動させないように制御される。そして、吸気通路１０に導入された空気は、図１の矢印Ａに示すようにバイパス通路１６を順方向に流れて、各気筒＃１〜＃４に供給されることになる。なお、この領域では、通常の４気筒運転が行われると共に、循環バルブ３１は閉じられ、第１、第４気筒＃１，＃４から排出された新気を吸気通路１０へ還流させないように制御される。
【００３２】
前記予回転領域では、本実施の形態においては予圧制御を行う。予圧制御では、バイパス弁１７が閉じ気味にされた状態で電動過給機１２を作動させるように制御される。その結果、吸気通路１０における電動過給機１２の下流側の圧力が予め高められることになって、エンジンの運転状態が過給領域に移行した際に過給圧の応答性向上が実現される。このとき、同時にスロットルバルブ１３の絞り制御を行うことにより各気筒＃１〜＃４内に導入する吸気量が必要以上に多くならないようにし、吸入空気量を正確に実現させる。
【００３３】
なお、この領域では、吸気温度が所定値以上のときは、第１、第４気筒＃１，＃４に燃料を供給する燃料噴射弁４４ａ，４４ｄの燃料供給を停止させる減筒気筒制御が行われると共に、スロットルバルブ１３の開度を増大補正するように制御される。このとき、循環バルブ３１を開くように制御され、図１の矢印Ｄに示すように、第１、第４気筒＃１，＃４から排出された新気を連通路３０を介して電動過給機１２の上流側の吸気通路１０に還流させる。
【００３４】
また、吸気温度が所定値以下のときは、通常の４気筒運転が実行されると共に、循環バルブ３１を閉じるように制御されて、新気の還流は行われない。
【００３５】
前記過給領域では、バイパス弁１７を閉じた状態で電動過給機１２を作動させるように制御される。このとき、エアクリーナ１１から吸気通路１０に導入された空気は図１の矢印Ｂに示すように吸気通路１０を流れる。なお、この領域では、通常の４気筒運転が行われると共に、循環バルブ３１を閉じるように制御され、新気の還流は行われない。
【００３６】
前記サージング領域では、バイパス弁１７を半開とした状態で電動過給機１２を作動させる。このサージング領域は、電動過給機１２の下流側の圧力が高く、吸気の流量が少なくなり、吸気が電動過給機１２を逆流する可能性のある領域であって、ここでは、バイパス弁１７を半開に制御することにより、図１の矢印Ｃに示すように吸気の一部をバイパス通路１６を逆流させて循環させるようにしている。なお、この領域では、通常の４気筒運転が行われると共に、循環バルブ３１を閉じるように制御され、新気の還流は行われない。
【００３７】
一方、図３のマップは、電動過給機１２の特性を示すもので、このマップには、吸入空気量を横軸にして、電動過給機１２の上、下流側の圧力比が縦軸に示されている。そして、この電動過給機１２の使用領域として、図に示す領域Ｘが設定されている。なお、領域Ｘの低吸入空気量高圧力比側の領域Ｙは、電動過給機１２の下流側の圧力が高く、空気の流量は少ないので、前述のサージングが起き易い領域となる。
【００３８】
さらに、前記領域Ｘには、電動過給機１２の消費電力に応じた領域ａ〜ｐが設定されている。これらの領域ａ〜ｐは、吸入空気量の増加に対して圧力比が減少するような複数の曲線で分割されてなる略短冊状の領域であり、低吸入空気量低圧力比側の領域ａから順に消費電力は増加する。
【００３９】
また、領域Ｘには、電動過給機１２の回転数の特性が示されている。この特性は、領域Ｘの低吸入空気量低圧力比側に回転数４００００ｒｐｍの曲線が設定され、高吸入空気量高圧力比側に移るに従って回転数は増加することが示されている。
【００４０】
ところで、本実施の形態で使用する電動過給機１２の定格電力は２ｋＷであり、電動過給機１２の消費電力が定格電力の半分の１ｋＷを超えると、これに応じた吐出圧の上昇により、ノッキングが発生し易くなることがわかっている。図４に示すように、このノッキングを抑制するために点火時期のリタード制御を行うので、実際に得られるエンジントルクは穏やかな増加となる。また、電動過給機１２の消費電力に応じてオルタネータ５０による消費トルクが増加するので、実際に得られるエンジントルクはさらに抑制され、その結果、過給機１２の消費電力が１ｋＷ以上の領域では過給機１２の消費電力をこれ以上増加させても、正味の実トルクはほとんど増加しない。なお、ここではノッキングが起き易くなるときの電動過給機１２の消費電力は１ｋＷであるが、この値は電動過給機１２の定格や特性等に応じて変更される。
【００４１】
そして、吸気系１、排気系２、及び循環バルブ３１は、エンジン制御装置１００、吸気システムコントローラ１０１、及び電動過給機コントローラ１０２により、図５に示すフローチャートに従って制御される。
【００４２】
まず、ステップＳ１で、エンジン制御装置１００により、各種信号を各センサから読み込むと共に、ステップＳ２で、これらの信号に基いて吸入空気量を求める。具体的には、アクセル開度センサ４０により検出されたエンジン負荷とエンジン回転数センサ４１により検出されたエンジン回転数とに基いて吸入空気量を演算する。このとき、センサ等で吸入空気量を検出するようにしてもよい。
【００４３】
そして、ステップＳ３で、エンジン回転数がＮ１より大きいか否かを判定し、Ｎ１より大きいときは、運転状態は図２のマップに示す自然吸気領域に属するから、ステップＳ４でバイパス弁１７を全開にし、ステップＳ５で電動過給機１２の作動を停止させる。さらに、ステップＳ６で４気筒運転を実行し、ステップＳ７で循環バルブ３１を閉じるように制御する。これによって、連通路３０からの空気の還流が停止されると共に、エアクリーナ１１から導入された空気がバイパス通路１６を介して各気筒＃１〜＃４に供給される自然吸気が実行される。
【００４４】
一方、ステップＳ３で、エンジン回転数がＮ１以下のときは、ステップＳ８に進んでエンジン負荷がα１より大きいか否かを判定する。エンジン負荷がα１より大きいときはエンジンの運転状態が過給領域に属することになるが、このとき、さらにステップＳ９で、運転状態がサージング領域に属するか否かを判定する。
【００４５】
ステップＳ９でエンジンの運転状態がサージング領域に属さないときは、ステップＳ１０に進んでバイパス弁１７を閉じ、ステップＳ１１で１ｋＷ運転制御を行う。この１ｋＷ運転制御では、図３に示した電動過給機１２の消費電力に応じた領域ａ〜ｐのうち、１ｋＷに相当する領域ｈ上で、ステップＳ２で求めた吸入空気量が得られる電動過給機１２の回転数を読み出し、過給機１２の回転数をこの回転数に制御する。
【００４６】
例えばステップＳ２で求められた吸入空気量が２ｍ３／ｍｉｎのときの１ｋＷ運転制御では、図３のマップにおいて領域ｈ上の点Ｚにおける電動過給機１２の回転数を読み出す。点Ｚは、回転数が６００００ｒｐｍから少し７００００ｒｐｍ寄りの位置にあり、補間によって６２０００ｒｐｍが求められる。そして、エンジン制御装置１００が吸気システムコントローラ１０１に信号を送り、電動過給機コントローラ１０２を介して、過給機１２がこの回転数になるように制御し、これによって消費電力が１ｋＷで回転数が６２０００ｒｐｍの運転が実現される。
【００４７】
この１ｋＷ運転制御の後、ステップＳ１２に進んで４気筒運転を実行し、ステップＳ１３で循環バルブ３１を閉じるように制御する。
【００４８】
一方、ステップＳ９で、エンジンの運転状態がサージング領域に属するときは、ステップＳ１４に進んでバイパス弁１７を半開に制御し、ステップＳ１５で前述の１ｋＷ運転制御を行い、ステップＳ１２に進む。これによって、電動過給機１２から吐出された空気の一部がバイパス通路１６を逆流することになり、その結果、過給機１２の下流の圧力が下がってサージングの発生が未然に回避される。
【００４９】
また、このように空気の一部をバイパス通路１６を介して循環させるので、実際に吸入される空気量が要求されたものより少なくなる。これに対して、バイパス通路１６を循環する空気量をβとすると、１ｋＷ運転制御の際には空気量βを補うために、β相当分増大された吸入空気量が要求されたものとして図３のマップを適用することになる。例えばステップＳ１で演算された吸入空気量が２ｍ３／ｍｉｎのときは、循環させる空気量βを加えた２＋βｍ３／ｍｉｎを吸入空気量の値として、この吸入空気量に対応する領域ｈ上の点Ｚ′の回転数（約５８０００ｒｐｍ）を読み出すことになる。
【００５０】
ところで、前記ステップＳ８でエンジン負荷がα１以下であると判定されたときは、運転状態が予回転領域（予圧領域）に属するから、ステップＳ１６〜Ｓ２２で予圧制御を行う。まず、ステップＳ１６でバイパス弁１７をほぼ閉じるように制御し、ステップＳ１７で電動過給機１２の回転数を予め設定された予圧制御用の回転数に制御する。なお、予圧制御用の電動過給機１２の回転数は、例えば過給領域における回転数よりも低くなるように設定され、得られる過給圧も低くなる。
【００５１】
次に、ステップＳ１８で、吸気温度センサ４２により検出された吸気温度がＴ１より大きいか否かを判定する。ここで吸気温度がＴ１より大きいときは、ステップＳ１９で減筒運転を実行する。この減筒運転では、第１、第４気筒＃１，＃４への燃料供給を停止させるように、燃料噴射弁４４ａ，４４ｄが制御される。このとき、減筒により出力に寄与する気筒数が減少するため、エンジンの出力が低下することになるが、スロットルバルブ１３の開度を増大するようにして、各気筒＃１〜＃４への導入空気量を増大させ、これにより燃焼気筒＃２，＃３の出力を増大させて、エンジン全体としての出力の低下を回避している。さらに、ステップＳ２０で、循環バルブ３１を開くように制御する。
【００５２】
このような減筒運転によって、第１、第４気筒＃１，＃４から排出された新気は、独立排気通路２１ａ，２１ｄ介して第１合流通路２２ａに至り、さらに連通路を通って電動過給機１２上流の吸気通路１０に還流されることになる。
【００５３】
一方、ステップＳ１８で、吸気温度がＴ１以下のときは、ステップＳ２１に進んで４気筒運転を実行し、ステップＳ２２で循環バルブ３１を開くように制御する。
【００５４】
なお、上記ステップＳ１９、２０が請求項１、２に記載の発明の主旨に相当し、ステップＳ１８〜Ｓ２１が請求項３に記載の発明の主旨に相当する。
【００５５】
次に、本発明の第２の実施の形態として、図６のマップに示すように各運転領域が設定されている場合について説明する。このマップは、図２のマップの低負荷低回転領域に設定された予回転領域を予圧領域から回転領域に変更したものである。
【００５６】
この予回転領域で行われる回転制御は、バイパス弁１７を開いた状態で電動過給機１２を作動させ、空気をバイパス通路１６を介して循環させて、運転状態が過給領域に移行したときの過給圧の応答性を向上させる。なお、この回転領域では、バイパス弁１７が開いた状態とされるため、予圧は行われない状態となるが、電動過給機１２の直下流における過給圧は、過給領域における過給圧よりも小さくなるように設定されている。
【００５７】
そして、この実施の形態では、図７に示すフローチャートに従って制御されることになる。なお、このフローチャートにおいて、ステップＳ３１〜Ｓ４５は前記第１の実施の形態における図５に示したフローチャートのステップＳ１〜Ｓ１５、ステップＳ４８〜Ｓ５２は同じくステップＳ１８〜Ｓ２２と同様の制御であるので、これらの説明は省略し、ここでは回転制御に係るステップＳ４６、Ｓ４７についてのみ説明する。
【００５８】
即ち、エンジンの運転状態が予回転領域に属すると判定された後、ステップＳ４６で、バイパス弁を全開に制御し、ステップＳ４７で、電動過給機１２の回転数を回転制御用の回転数に制御する。
【００５９】
以上のように、予回転制御中に、第１、第４気筒＃１，＃４への燃料供給が停止されるので、該気筒＃１，＃４からは、新気が排出されることになる。そして、この新気が電動過給機１２の上流の吸気通路１０に還流される。
【００６０】
その場合に、前記第１、第４気筒に＃１，＃４吸入された空気は、圧縮工程で昇温した際に、燃焼室回りの冷却水に熱が吸収されると共に、その後の膨張行程でさらに温度が低下するので、吸入したときの温度（大気温度）よりも低くなる。そして、この低温の空気が電動過給機１２の上流の吸気通路１０に還流されるので、予回転制御中に、吸気系１全体として吸気温度が低下され、或いは上昇が抑制されることになり、これによりノッキングの発生が防止される。
【００６１】
また、減筒運転時は、スロットルバルブ１３の開度を増大させるので、各気筒＃１〜＃４への導入空気量が増大し、第２、第３気筒＃２，＃３（燃焼気筒）の出力が増大する。その結果、減筒したにも拘らず、エンジン全体としての出力の低下が回避される。
【００６２】
なお、このとき、スロットルバルブ１３の開度を増大させたことによって、ポンピングロスが低減して燃費が改善される。例えば、排気量２リッターのガソリンエンジンで、予回転を２５００回転以下で行い、かつ電動過給機１２の定格電力を２ｋＷ、オルタネータ５０の定格電力を２ｋＷとした場合の予回転制御中、電動過給機１２による消費電力をオルタネータ５０の発電により回収するために８％前後の燃費の低下を免れないが、これが前記ポンピングロスの低減による７〜１１％の燃費改善効果により相殺され、予回転制御を行うことによる燃費の悪化が防止されることになる。
【００６３】
そして、吸気温度が所定値未満のときは、ノッキングが起こりにくい状態であるから、減筒運転が行われずにエンジン出力の低下が回避されると共に、吸気温度が所定値以上のときは、ノッキングが起こりやすい状態であるから、前記減筒運転が行われて吸気温度の上昇が抑制され、ノッキングの発生が防止される。
【産業上の利用可能性】
【００６４】
本発明は、エンジンの過給装置において、エンジンの運転状態が予回転領域にあるときに、吸気温度の上昇を抑制し、ノッキングの発生を防止することを目的とする。本発明は、過給によりエンジントルクの増大を図るエンジンの過給装置の技術分野に広く好適である。
【図面の簡単な説明】
【００６５】
【図１】本発明の実施の形態に係るエンジンのシステム図である。
【図２】エンジンの運転領域を示すマップである。
【図３】電動過給機の特性を示すマップである。
【図４】電動過給機の消費電力に応じたエンジントルク特性を示すグラフである。
【図５】エンジンの制御に係るフローチャートである。
【図６】本発明の第２の実施の形態に係るエンジンの運転領域を示すマップである。
【図７】同エンジンの制御に係るフローチャートである。
【符号の説明】
【００６６】
１０      吸気通路
１２      電動過給機
１６      バイパス通路
１７      バイパス弁
３０      連通路
３１      循環バルブ
４２      吸気温度センサ
１００    エンジン制御装置
１０１    吸気システムコントローラ
＃１〜＃４    気筒
【図１】
2006214273.tif 000003
【図２】
2006214273.tif 000004
【図３】
2006214273.tif 000005
【図４】
2006214273.tif 000006
【図５】
2006214273.tif 000007
【図６】
2006214273.tif 000008
【図７】
2006214273.tif 000009